(57)【要約】【課題】自動取引装置の指静脈センサ部は、手を置くときの基準が指先になっており、これに合わせると手のひら静脈センサ部にとって適切な手の位置とはならない。また、手のひら静脈センサは手首が手を置くときの基準になっており、これに合わせると指静脈センサにとって適切な手の位置とはならいという問題がある。【解決手段】顧客からみて手前側に手のひら静脈センサ部を配置し、奥側に指静脈センサを配置し、さらに、指静脈センサ部と手のひら静脈センサ部は一体型に構成され、手のひら静脈センサ部は、指の付け根の位置決めガイドから手のひら静脈センサ部の手首の位置決めガイドまでの長さが、平均的な手のひら長の最大値以上とし、指静脈センサ部は、先端の位置決めガイドの指に接触する部分から指の付け根の位置決めガイドの端面までの長さが、平均的な中指の指長の最小値以下としたことを特徴とする。【選択図】        図１
2007280298.tif 000002
【特許請求の範囲】
【請求項１】
指の静脈パターンを読み取る指静脈センサ部と手のひらの静脈パターンを読み取る手のひら静脈センサ部で構成される顧客の生体データを用いて個人認証する自動取引装置において、
顧客からみて自動取引装置の手前側に手のひら静脈センサ部を配置し、奥側に指静脈センサを配置したことを特徴とする自動取引装置。
【請求項２】
請求項１において、指静脈センサ部と手のひら静脈センサ部は一体型に構成され、手のひら静脈センサ部は、指の付け根の位置決めガイドから手のひら静脈センサ部の手首の位置決めガイドまでの長さが、平均的な手のひら長の最大値以上とし、指静脈センサ部は、先端の位置決めガイドの指に接触する部分から指の付け根の位置決めガイドの端面までの長さが、平均的な中指の指長の最小値以下としたことを特徴とする自動取引装置。
【請求項３】
請求項２において、指静脈センサ部に、中指の両側に沿う間隔で突条を２本形成した指の位置決めガイドを設けたことを特徴とする自動取引装置。
【請求項４】
請求項１において、指静脈センサ部と手のひら静脈センサ部に指および手を置いたときの手と水平のなす角度θが、５°≦θ≦１５°であることを特徴とする自動取引装置。
【請求項５】
ＩＣカードの読み書きを行うカード処理部と、顧客にメッセージの表示や取引選択等の入力を行う顧客操作部と、記憶部を内蔵する制御部と、指の静脈パターンを読み取る指静脈センサ部と、手のひらの静脈パターンを読み取る手のひら静脈センサ部とを有する自動取引装置において、
指静脈認証と手のひら静脈認証の両方あるいはどちらか一方に対応したＩＣカードを使用したとき、ＩＣカードを読み取る前に、指静脈センサ部および手のひら静脈センサ部に同時に生体データ取得コマンドを発行することを特徴とする自動取引装置。
【請求項６】
請求項５において、指静脈認証と手のひら静脈認証の両方に対応したＩＣカードを使用したとき、指静脈センサ部と手のひら静脈センサ部のうち先に生体データ取得コマンドに応答してきた方の生体データを用いて個人認証することを特徴とする自動取引装置。
【請求項７】
請求項６において、先に生体データ取得コマンドに応答してきたセンサの認証が失敗したとき、後から応答してくるセンサの生体データを使用して個人認証することを特徴とする自動取引装置。
【請求項８】
ＩＣカードの読み書きを行うカード処理部と、顧客にメッセージの表示や取引選択等の入力を行う顧客操作部と、記憶部を内蔵する制御部と、指の静脈パターンを読み取る指静脈センサ部と、手のひらの静脈パターンを読み取る手のひら静脈センサ部とを有する自動取引装置において、
指静脈認証と手のひら静脈認証の両方に対応したＩＣカードを使用したとき、顧客が選択した認証方式に対応して指静脈センサ部あるいは手のひら静脈センサ部のどちらか一方にのみ生体データ取得コマンドを送信することを特徴とする自動取引装置。
【発明の詳細な説明】
【技術分野】
【０００１】
本発明は、金融機関やコンビニエンスストア等に設置されるＡＴＭのような自動取引装置に係り、特に、セキュリティ向上・本人確認のために生体認証ユニットを取り付けた自動取引装置に関する。
【背景技術】
【０００２】
ＡＴＭ等において使用される生体認証についての従来の技術としては、指静脈認証に関しては（例えば、特許文献１参照）があり、手のひら静脈認証に関しては（例えば、特許文献２参照）がある。
指静脈認証と手のひら静脈認証はそれぞれ特徴があり、指静脈センサを自動取引装置に搭載する金融機関と手のひら静脈センサを自動取引装置に搭載する金融機関に分かれており、互換性のない状態である。
【０００３】
顧客にとっては、自分が口座を持っている金融機関の自動取引装置はその金融機関が採用する認識方式のみに対応するため、他の認識方式を採用する金融機関の自動取引装置では生体認証を利用することができない。
そこで、指静脈認証と手のひら静脈認証とがそれぞれ単独ユニットではなく、図１７に示す如く、両生体認証ユニットを併設した自動取引装置が考えられる。
【０００４】
図において、１１はＩＣカードの読み書きを行うカード処理部、１２は顧客に対するメッセージ表示や取引選択等の入力処理を行う顧客操作部、１３は記憶部１３１を内蔵する制御部、１４は指静脈パターンを読み取る指静脈センサ部あるいは手のひら静脈パターンを読み取る手のひら静脈センサ部である。
このような装置の動作を図１８、図１９のフローチャートを用いて説明する。
【０００５】
顧客が取引選択し（Ｓ１）、ＩＣカードを挿入すると（Ｓ２）、ＩＣカードから生体情報種別を読み取り、指静脈と手のひら静脈のどちらの認証を実行するのかを識別し（Ｓ３〜Ｓ５）、対応する生体センサから生体データを取得し（Ｓ８またはＳ２４）、それぞれ認証を実行する（Ｓ１８〜Ｓ１９またはＳ３４〜Ｓ３５）。  
【特許文献１】特開２００５−２５３９８８号公報
【特許文献２】特開２００６−１１９８８号公報
【発明の開示】
【発明が解決しようとする課題】
【０００６】
しかしながら、上述した従来の技術においては、指静脈センサ部は、手を置くときの基準が指先になっており、これに合わせると手のひら静脈センサ部にとって適切な手の位置とはならない。また、手のひら静脈センサは手首が手を置くときの基準になっており、これに合わせると指静脈センサにとって適切な手の位置とはならいという問題がある。これは、生体データの取得の確率が低下する原因となり、取引に大きな支障をきたす原因となる。
【０００７】
本発明は、このような問題を解決することを課題とし、指と手のひらによる両方の認証を可能とすることを目的とする。
【課題を解決するための手段】
【０００８】
そこで本発明は、顧客からみて自動取引装置の手前側に手のひら静脈センサ部を配置し、奥側に指静脈センサを配置したことを特徴とする。
さらに、指静脈センサ部と手のひら静脈センサ部は一体型に構成され、手のひら静脈センサ部は、指の付け根の位置決めガイドから手のひら静脈センサ部の手首の位置決めガイドまでの長さが、平均的な手のひら長の最大値以上とし、指静脈センサ部は、先端の位置決めガイドの指に接触する部分から指の付け根の位置決めガイドの端面までの長さが、平均的な中指の指長の最小値以下としたことを特徴とする。
【発明の効果】
【０００９】
このようにした本発明は、顧客は、一体型センサ部の指の位置決めガイドに指の股をあわせるだけで、指を、指の付け根の位置決めガイドに、指先を、先端の位置決めガイドに、また、手首を手首の位置決めガイドに自然におくことができ、指静脈センサ部および手のひら静脈センサ部にとって好適な位置に手を固定することが可能となり、指静脈センサ部および手のひら静脈センサ部が正しく生体データを取得する確率が高くなるという効果がある。
【発明を実施するための最良の形態】
【００１０】
以下、図面を参照して本発明による実施例を説明する。
【実施例】
【００１１】
図１は実施例を示す自動取引装置のブロック図である。
図において、１はＩＣカードの読み書きを行うカード処理部、２は顧客に対するメッセージ表示や取引選択等の入力処理を行う顧客操作部、３は記憶部３１を内蔵する制御部であり、記憶部３１に格納されたプログラム（ソフトウェア）に基づいて制御部３は制御する。
【００１２】
４は指静脈パターンを読み取る指静脈センサ部、５は手のひら静脈パターンを読み取る手のひら静脈センサ部であり、両者は一体となって一体型センサ部６を形成し、自動取引装置の右又は左隣に配置される。
図２は、一体型センサ部６の側断面図であり、間隔をもって中指の両側に沿う突条を２本形成した指の位置決めガイド７の手前に、左右端に形成したふくらみからそれぞれ中心に向けて下がるように傾斜を形成して指の置く位置を導くようにした中指の指の付け根の位置決めガイド９を中心にして、自動取引装置を利用する顧客から見て手前側に手のひら静脈センサ部５を配置し、奥側に指静脈センサ部４を配置する。
【００１３】
前記手のひら静脈センサ部５は、指の付け根の位置決めガイド９から手のひら静脈センサ部５の手首の付け根の位置を定める手首の位置決めガイド８までの長さ（ｂ）が、日本人の平均的な手のひら長の最大値（例えば１２６．７ｍｍ）以上とし、指静脈センサ部４は、指の位置決めガイド７の先部に、左右端に形成したふくらみからそれぞれ中心に向けて下がるように傾斜を形成して指先の置く位置を導くように形成した先端の位置決めガイド１０の指先に接触する部分から指の付け根の位置決めガイド９の端面までの長さ（ａ）が、日本人の平均的な中指の指長の最小値（例えば７２．６ｍｍ）以下とする。
【００１４】
また、各位置決めガイド７、８、９、１０に指および手を合わせると、図４、図５に示す如く、手と水平をなす角θが、５°≦θ≦１５°程度となることが望ましい。
顧客は、図３に示す如く、指の股を合わせるように指の位置決めガイド７に合わせて中指をおいて手の水平方向の位置を定め、さらに、中指の指の付け根の位置決めガイド９に中指の根本を、先端の位置決めガイド１０には指先を、手首の位置決めガイド８には手首を載せて垂直方向の手の位置を固定する。
【００１５】
このような構成による各位置決めガイド７、８、９、１０によると、顧客は、一体型センサ部６の指の位置決めガイド７に指の股をあわせるだけで、指を指の付け根の位置決めガイド９に、指先を先端の位置決めガイド１０に、また、手首を手首の位置決めガイド８に自然におくことができ、指静脈センサ部４および手のひら静脈センサ部５にとって好適な位置に手を固定することが可能となり、指静脈センサ部４および手のひら静脈センサ部５が正しく生体データを取得する確率が高くなるという効果がある。
【００１６】
また、各位置決めガイド７、８、９、１０に指および手のひらを置くと、手と水平のなす角度θが、５°≦θ≦１５°程度としたことにより、身長の高い人にとって手首にかかる負担がなく、手が置き易くなるという効果がある。図５はθ＝５°とした場合の説明図であり、身長の高い成人男性が自然な姿勢で手首に負担をかけることなく、一体型センサに手を置くことができることがわかる。
【００１７】
態様例１
つぎに、上記構成による態様例１の取引動作を図６、図７、図８のフローチャートを用いて説明する。なお、フローチャート中では、手のひらを掌と表示する。
顧客が取引を選択し（Ｓ１０１）、ＩＣカードをカード処理部１に挿入すると（Ｓ１０２）、顧客操作部２に一体型センサ６に手を載せるようにガイダンスを表示する（Ｓ１０３）。
【００１８】
そこで、制御部３より指静脈センサ部４、手のひら静脈センサ部５の両方に同時に生体データ取得コマンドが送信される（Ｓ１０４）。指静脈センサ部４、手のひら静脈センサ部５は、指あるいは手が近づけられたことを検知してスキャンを開始する。
制御部３は、指静脈センサ部４、手のひら静脈センサ部５に生体データ取得コマンドを送信した後、直ちに、ＩＣカードに読み取りコマンドを送信し、生体情報種別を読み取る（Ｓ１０５〜Ｓ１０６）。この生体情報種別により、ＩＣカードが指静脈認証と手のひら静脈認証
の両方に対応しているのか、どちらか一方に対応しているのか、どちらにも対応していないのか判別する（Ｓ１０７）。
【００１９】
ＩＣカードが指静脈認証と手のひら静脈認証の両方に対応している場合、指静脈センサ部４と手のひら静脈センサ部５のうち、どちらか先に応答を返してくるまで待ち合わせる（Ｓ１０８〜Ｓ１１１）。指静脈センサ部４が早く応答を返してきた場合、指静脈センサ部４から生体データを読み取り、制御部３の記憶部３１に保存する（Ｓ１１２）。このとき、生体データを圧縮あるいは暗号化してもよい。
【００２０】
制御部３の記憶部３１上の前記生体データをＩＣカードに書き込み（Ｓ１１３〜Ｓ１１４）、指静脈認証コマンドをＩＣカードに送信する（Ｓ１１５）。
ＩＣカード上の認証プログラムにより、ＩＣカードに登録されているデータと前記生体データを照合して認証処理を実行する。認証が成功すれば、手のひら静脈センサ部５に送信していた生体データ取得コマンドの実行をキャンセルし（Ｓ１１８）、取引処理を実行する（Ｓ１１９）。
【００２１】
認証が失敗した場合、手のひら静脈認証による認証を試みる（Ｓ１２０〜Ｓ１２７）。その結果、認証が成功すれば取引処理を実行する（Ｓ１１９）。
手のひら静脈認証も失敗となった場合、手を置きなおすように顧客操作部２にガイダンスを表示し（Ｓ１２９）、生体データ取得コマンドの送信から繰り返す（Ｓ１０４）。所定の回数繰り返しても認証が失敗する場合は、暗証番号による認証処理を実行し（Ｓ１６５）、取引処理を実行する（Ｓ１６６）。
【００２２】
また、上記の指静脈センサ部４、手のひら静脈センサ部５の生体データ取得コマンドに対する応答待ち合わせ処理（Ｓ１０８〜Ｓ１１１）で手のひら静脈センサ部５が早く応答してきた場合、手のひら静脈センサ部５から生体データを読み取り、制御部３の記憶部３１に保存する（Ｓ１３０）。
制御部３の記憶部３１上の前記生体データをＩＣカードに書き込み（Ｓ１３１〜Ｓ１３２）、手のひら静脈認証コマンドをＩＣカードに送信する（Ｓ１３３）。
【００２３】
ＩＣカード上の認証プログラムにより、ＩＣカードに登録されているデータと前記生体データを照合して認証処理を実行する。認証が成功すれば、指静脈センサ部４に送信していた生体データ取得コマンドの実行をキャンセルし（Ｓ１３６）、取引処理を実行する（Ｓ１１９）。
認証が失敗した場合、指静脈認証による認証を試みる（Ｓ１３７〜Ｓ１４４）。その結果、認証が成功すれば取引処理を実行する（Ｓ１１９）。
【００２４】
指静脈認証も失敗となった場合、手を置きなおすように顧客操作部２にガイダンスを表示し（Ｓ１２９）、生体データ取得コマンドの送信から繰り返す（Ｓ１０４）。所定の回数繰り返しても認証が失敗する場合は、暗証番号による認証処理を実行し（Ｓ１６５）、取引処理を実行する（Ｓ１６６）。
また、指静脈センサ部４、手のひら静脈センサ部５の生体データ取得コマンドに対する応答待ち合わせ処理（Ｓ１０８〜Ｓ１１１）で、指先静脈センサ部４と手のひら静脈センサ部５の両方が生体データ取得コマンドに応答せずにタイムアウトになった場合には、手を置きなおすように顧客操作部２にガイダンスを表示し（Ｓ１２９）、生体データ取得コマンドの送信から繰り返す（Ｓ１０４）。所定の回数繰り返してもタイムアウトに成る場合には、暗証番号による認証処理を実行し（Ｓ１６５）、取引処理を実行する（Ｓ１６６）。
【００２５】
また、指静脈センサ部４からの応答が早く返されて指静脈認証を実行して認証失敗となった後、手のひら静脈センサ部５の生体データ取得コマンドに対する応答がタイムアウトになった場合（Ｓ１２１）、手を置きなおすように顧客操作部２にガイダンスを表示し（Ｓ１２９）、生体データ取得コマンドの送信から繰り返す（Ｓ１０４）。所定の回数繰り返しても指静脈認証が失敗し、手のひら静脈センサ部５がタイムアウトになる場合には、暗証番号による認証処理を実行し（Ｓ１６５）、取引処理を実行する（Ｓ１６６）。
【００２６】
同様に、手のひら静脈センサ部５からの応答が早く返されて手のひら静脈認証を実行して認証失敗となった後、指静脈センサ部４の生体データ取得コマンドに対する応答がタイムアウトになった場合（Ｓ１３８）、手を置きなおすように顧客操作部２にガイダンスを表示し（Ｓ１２９）、生体データ取得コマンドの送信から繰り返す（Ｓ１０４）。所定の回数繰り返しても手のひら静脈認証が失敗し、指静脈センサ部５がタイムアウトになる場合には、暗証番号による認証処理を実行し（Ｓ１６５）、取引処理を実行する（Ｓ１６６）。
【００２７】
ＩＣカードが指静脈認証のみに対応している場合は、指静脈センサ部４から生体データを読み取り、制御部３の記憶部３１に保存する（Ｓ１４７）。
制御部３の記憶部３１上の前記生体データをＩＣカードに書き込み（Ｓ１４８〜Ｓ１４９）、指静脈認証コマンドをＩＣカードに送信する（Ｓ１５０）。
ＩＣカード上の認証プログラムにより、ＩＣカードに登録されているデータと前記生体データを照合して認証処理を実行する。認証が成功すれば、手のひら静脈センサ部５に送信していた生体データ取得コマンドの実行をキャンセルし（Ｓ１５３）、取引処理を実行する（Ｓ１１９）。
【００２８】
認証に失敗した場合（Ｓ１５２）あるいは指静脈センサ部４が生体データ取得コマンドに応答せずタイムアウトになった場合（Ｓ１４６）、手のひら静脈センサ部５に送信した生体データ取得コマンドの実行をキャンセルし（Ｓ１６７）、手を置きなおすよう顧客操作部２にガイダンスを表示し（Ｓ１２９）、生体データ取得コマンドの送信から繰り返す（Ｓ１０４）。所定の回数繰り返しても認証が失敗あるいは指静脈センサ部４がタイムアウトになった場合には、暗証番号による認証処理を実行し（Ｓ１６５）、取引処理を実行する（Ｓ１６６）。
【００２９】
ＩＣカードが手のひら静脈認証のみに対応している場合は、手のひら静脈センサ部５から生体データを読み取り、制御部３の記憶部３１に保存する（Ｓ１５６）。
制御部３の記憶部３１上の前記生体データをＩＣカードに書き込み（Ｓ１５７〜Ｓ１５８）、手のひら静脈認証コマンドをＩＣカードに送信する（Ｓ１５９）。
ＩＣカード上の認証プログラムにより、ＩＣカードに登録されているデータと前記生体データを照合して認証処理を実行する。認証が成功すれば、指静脈センサ部４に送信していた生体データ取得コマンドの実行をキャンセルし（Ｓ１６２）、取引処理を実行する（Ｓ１１９）。
【００３０】
認証に失敗した場合（Ｓ１６１）あるいは手のひら静脈センサ部５が生体データ取得コマンドに応答せずタイムアウトになった場合（Ｓ１５５）、指静脈センサ部４に送信した生体データ取得コマンドの実行をキャンセルし（Ｓ１６８）、手を置きなおすよう顧客操作部２にガイダンスを表示し（Ｓ１２９）、生体データ取得コマンドの送信から繰り返す（Ｓ１０４）。所定の回数繰り返しても認証が失敗あるいは手のひら静脈センサ部５がタイムアウトになった場合には、暗証番号による認証処理を実行し（Ｓ１６５）、取引処理を実行する（Ｓ１６６）。
【００３１】
ＩＣカードが指静脈認証と手のひら静脈認証のいずれにも対応していない場合には、指静脈センサ部４および手のひら静脈センサ部５の生体データ取得コマンドの実行をキャンセルし（Ｓ１６３〜Ｓ１６４）、暗証番号による認証処理を実行し（Ｓ１６５）、取引処理を実行する（Ｓ１６６）。
なお、本態様例では、指静脈センサ部４および手のひら静脈センサ部５が生体データ取得コマンドに対して応答を返さずタイムアウトになることが所定回数繰り返された場合およびＩＣカードが指静脈認証、手のひら静脈認証のどちらにも対応していない場合、暗証番号による認証処理を実行して取引処理を実行しているが、暗証番号入力および取引処理を実行することなく、顧客操作部２にエラーメッセージを表示してカードを排出してもよい。
【００３２】
以上の態様例によると、ＩＣカードを読み取る前に指静脈センサ部および手のひら静脈センサ部に対して生体データ取得コマンドを送信してこのコマンドの応答待ちの間にＩＣカードを読み取るために、従来の自動取引装置ではＩＣカードを読み取ってから対応する生体認証種別を判別する時間を、指静脈センサ部および手のひら静脈センサ部の応答待ちの時間に含めることができるために、全体の処理時間を短縮することができる効果を有する。
【００３３】
また、先に応答したセンサの生体データを使って認証を実行するために、応答に時間がかかるセンサの応答を待つことなく、最短の時間で認証を終了させることができることになる。
さらに、先に応答したセンサの生体データを使った認証に失敗したとき、後から応答する別のセンサの生体データを使って認証を実行することによりこれによる認証が成功する可能性を増やすという利点を有する。
【００３４】
態様例２
つぎに、上記構成による態様例２の取引動作を図９、図１０、図１１のフローチャートを用いて説明する。なお、フローチャート中では、手のひらを掌と表示する。
顧客が取引選択をし（Ｓ２０１）、ＩＣカードを挿入すると（Ｓ２０２）、顧客操作部２に一体型センサ６に手を載せるようにガイダンスを表示する（Ｓ２０３）。
【００３５】
指静脈センサ部４と手のひら静脈センサ部５に同時に生体データ取得マンドを送信して（Ｓ２０４）、ＩＣカードが指静脈認証と手のひら静脈認証の両方に対応しているときに、制御部３の記憶部３１に予め設定された指静脈認証と手のひら静脈認証のどちらを先に処理するかを定めた優先順位データを読み出し（Ｓ２０８）、その内容に従って、指静脈認証処理（Ｓ２１２〜Ｓ２２１）あるいは手のひら静脈認証処理（Ｓ２１０〜Ｓ２１１、Ｓ２３２〜Ｓ２３８、Ｓ２２１）を実行する。
【００３６】
認証に失敗した場合（Ｓ２２９）、手を置きなおすよう顧客操作部２にガイダンスを表示し（Ｓ２３１）、生体データ取得コマンドの送信から繰り返す（Ｓ２０４）。所定の回数繰り返しても認証が失敗あるいは手のひら静脈センサ部５がタイムアウトになった場合には、暗証番号による認証処理を実行し（Ｓ２６７）、取引処理を実行する（Ｓ２６８）。
【００３７】
ＩＣカードが指静脈認証と手のひら静脈認証のいずれにも対応していない場合には、指静脈センサ部４および手のひら静脈センサ部５の生体データ取得コマンドの実行をキャンセルし（Ｓ２６５〜Ｓ２６６）、暗証番号による認証処理を実行し（Ｓ２６７）、取引処理を実行する（Ｓ２６８）。
なお、本態様例では、指静脈センサ部４および手のひら静脈センサ部５が生体データ取得コマンドに対して応答を返さずタイムアウトになることが所定回数繰り返された場合およびＩＣカードが指静脈認証、手のひら静脈認証のどちらにも対応していない場合、暗証番号による認証処理を実行して取引処理を実行しているが、暗証番号入力および取引処理を実行することなく、顧客操作部２にエラーメッセージを表示してカードを排出してもよい。
【００３８】
以上の態様例によると、上記態様例と同様に、ＩＣカードを読み取る前に指静脈センサ部および手のひら静脈センサ部に対して生体データ取得コマンドを送信してこのコマンドの応答待ちの間にＩＣカードを読み取るために、従来の自動取引装置ではＩＣカードを読み取ってから対応する生体認証種別を判別する時間を、指静脈センサ部および手のひら静脈センサ部の応答待ちの時間に含めることができるために、全体の処理時間を短縮することができる効果を有する。
【００３９】
また、制御部の記憶部上に認証方式の優先順位を記憶しておくために、指静脈センサ部および手のひら静脈センサ部に生体データ取得コマンドを送信した後、両方のセンサからの応答を待ち合わせる代わりに片方のセンサの応答を待ち合わせればよいために、処理が単純になるという効果がある。
態様例３
つぎに、上記構成による態様例３の取引動作を図１２、図１３、図１４のフローチャートを用いて説明する。なお、フローチャート中では、手のひらを掌と表示する。
【００４０】
顧客が取引選択をし（Ｓ３０１）、ＩＣカードを挿入すると（Ｓ３０２）、顧客操作部２に一体型センサ６に手を載せるようにガイダンスを表示する（Ｓ３０３）。
指静脈センサ部４と手のひら静脈センサ部５に同時に生体データ取得マンドを送信して（Ｓ３０４）、ＩＣカードが指静脈認証と手のひら静脈認証の両方に対応しているときに、顧客が生体認証の優先順位を顧客操作部２から入力し（Ｓ３０８）、その優先順位に従って、指静脈認証処理（Ｓ３１２〜Ｓ３２１）あるいは手のひら静脈認証処理（Ｓ３１０〜Ｓ３１１、Ｓ３３２〜Ｓ３３８、Ｓ３２１）を実行する。
【００４１】
認証に失敗した場合（Ｓ３２９）、手を置きなおすよう顧客操作部２にガイダンスを表示し（Ｓ３３１）、生体データ取得コマンドの送信から繰り返す（Ｓ３０４）。所定の回数繰り返しても認証が失敗あるいは手のひら静脈センサ部５がタイムアウトになった場合には、暗証番号による認証処理を実行し（Ｓ３６７）、取引処理を実行する（Ｓ３６８）。
【００４２】
ＩＣカードが指静脈認証と手のひら静脈認証のいずれにも対応していない場合には、指静脈センサ部４および手のひら静脈センサ部５の生体データ取得コマンドの実行をキャンセルし（Ｓ３６５〜Ｓ３６６）、暗証番号による認証処理を実行し（Ｓ３６７）、取引処理を実行する（Ｓ３６８）。
なお、本態様例では、指静脈センサ部４および手のひら静脈センサ部５が生体データ取得コマンドに対して応答を返さずタイムアウトになることが所定回数繰り返された場合およびＩＣカードが指静脈認証、手のひら静脈認証のどちらにも対応していない場合、暗証番号による認証処理を実行して取引処理を実行しているが、暗証番号入力および取引処理を実行することなく、顧客操作部２にエラーメッセージを表示してカードを排出してもよい。
【００４３】
以上の態様例によると、上記態様例と同様に、ＩＣカードを読み取る前に指静脈センサ部および手のひら静脈センサ部に対して生体データ取得コマンドを送信してこのコマンドの応答待ちの間にＩＣカードを読み取るために、従来の自動取引装置ではＩＣカードを読み取ってから対応する生体認証種別を判別する時間を、指静脈センサ部および手のひら静脈センサ部の応答待ちの時間に含めることができるために、全体の処理時間を短縮することができる効果を有する。
【００４４】
また、顧客が認証方式の優先順位を指定するために、指静脈センサ部および手のひら静脈センサ部に生体データ取得コマンドを送信した後、両方のセンサからの応答を待ち合わせる代わりに片方のセンサの応答を待ち合わせればよいために、処理が単純になるという効果がある。
態様例４
つぎに、上記構成による態様例２の取引動作を図１５、図１６のフローチャートを用いて説明する。なお、フローチャート中では、手のひらを掌と表示する。
【００４５】
顧客が取引選択をし（Ｓ４０１）、ＩＣカードを挿入すると（Ｓ４０２）、顧客操作部２により指静脈認証と手のひら静脈認証のどちらの認証方式を使用するか顧客に選択させる（Ｓ４０３）。
つぎに、ＩＣカードに読み取りコマンドを送信して生体種別情報を読み取り（Ｓ４０４〜Ｓ４０５）、顧客が入力した認証方式と比較し（Ｓ４０６〜Ｓ４０７）、指静脈認証で一致していれば、顧客操作部２に一体型センサ６に手を載せるようにガイダンスを表示し（Ｓ４０９）、指静脈センサ部４に生体情報取得コマンドを送信し（Ｓ４１０）、手のひら静脈センサ部５には送信しない。
【００４６】
顧客が入力した認証方式とＩＣカードの生体認証種別が不一致の場合は、顧客操作部２にエラーメッセージを表示し、カードを排出して処理を終了する（Ｓ４３９〜Ｓ４４０）。
認証に失敗した場合（Ｓ４２０）あるいは指静脈センサ部４が生体データ取得コマンドに応答せずタイムアウトとなった場合（Ｓ４１２）は、手を置きなおすように顧客操作部２にガイダンスを表示し（Ｓ４１４、Ｓ４２３）、生体データ取得コマンドの送信から繰り返す。所定の回数繰り返しても認証が失敗あるいは指静脈センサ部４がタイムアウトになった場合は、顧客操作部２にエラーメッセージを表示し、カードを排出して処理を終了する（Ｓ４３９〜Ｓ４４０）。
【００４７】
顧客が手のひら静脈認証を選択したときには、手のひら静脈認証で一致していれば、顧客操作部２に一体型センサ６に手を載せるようにガイダンスを表示し（Ｓ４２４）、手のひら指静脈センサ部５に生体情報取得コマンドを送信し（Ｓ４２５）、指静脈センサ部４には送信しない。
顧客が入力した認証方式とＩＣカードの生体認証種別が不一致の場合は、顧客操作部２にエラーメッセージを表示し、カードを排出して処理を終了する（Ｓ４３９〜Ｓ４４０）。
【００４８】
認証に失敗した場合（Ｓ４３５）あるいは手のひら静脈センサ部５が生体データ取得コマンドに応答せずタイムアウトとなった場合（Ｓ４２７）は、手を置きなおすように顧客操作部２にガイダンスを表示し（Ｓ４２９、Ｓ４３８）、生体データ取得コマンドの送信から繰り返す。所定の回数繰り返しても認証が失敗あるいは指静脈センサ部４がタイムアウトになった場合は、顧客操作部２にエラーメッセージを表示し、カードを排出して処理を終了する（Ｓ４３９〜Ｓ４４０）。
【００４９】
なお、本態様例では、指静脈センサ部４および手のひら静脈センサ部５が生体データ取得コマンドに対して応答を返さずタイムアウトになることが所定回数繰り返された場合およびＩＣカードが指静脈認証、手のひら静脈認証のどちらにも対応していない場合、顧客操作部２にエラーメッセージを表示してカードを排出しているが、暗証番号による認証処理を実行して取引処理を実行してもよい。
【００５０】
本態様例の説明では、顧客が認証方式を選択するようにしているが、制御部３に内蔵されている図示しないホスト・インターフェースにより、金融機関のホストコンピュータと通信して認証方式を決定してもよい。このとき、通信するホストコンピュータは複数であってもよい。
また、制御部３内部の記憶部３１に予め指静脈と手のひら静脈のどちらの認証方式を使用するかを設定しておいてもよい。
【００５１】
また、制御部３内部の記憶部３１に、金融機関と認証方式の対応テーブルを保持し、金融機関ごとに認証方式を選択するようにしてもよい。
以上の態様例によると、顧客に認証方式の優先順位を選択させるために、２つあるセンサのうち片方にのみ生体データ取得コマンドを送信するために、コマンドの待ち合わせ処理が簡略化でき、また、未使用センサに対する生体データ取得コマンドのキャンセル処理が不要になるという利点がある。
【図面の簡単な説明】
【００５２】
【図１】実施例を示すブロック図
【図２】一体型センサ部の側断面図
【図３】一体型センサ部の使用状態の平面図
【図４】一体型センサ部の使用状態の側面図
【図５】本装置の使用状態の説明図
【図６】態様例１の動作をしめすフローチャート
【図７】態様例１の動作をしめすフローチャート
【図８】態様例１の動作をしめすフローチャート
【図９】態様例２の動作をしめすフローチャート
【図１０】態様例２の動作をしめすフローチャート
【図１１】態様例２の動作をしめすフローチャート
【図１２】態様例３の動作をしめすフローチャート
【図１３】態様例３の動作をしめすフローチャート
【図１４】態様例３の動作をしめすフローチャート
【図１５】態様例４の動作をしめすフローチャート
【図１６】態様例４の動作をしめすフローチャート
【図１７】従来例のブロック図
【図１８】従来例の動作をしめすフローチャート
【図１９】従来例の動作をしめすフローチャート
【符号の説明】
【００５３】
１  カード処理部
２  顧客操作部
３  制御部
３１  記憶部
４  指静脈センサ部
５  手のひら静脈センサ部
６  一体型センサ部
７  指の位置決めガイド
８  手首の位置決めガイド
９  指の付け根の位置決めガイド
１０  指の先端の位置決めガイド
【図１】
2007280298.tif 000003
【図２】
2007280298.tif 000004
【図３】
2007280298.tif 000005
【図４】
2007280298.tif 000006
【図５】
2007280298.tif 000007
【図６】
2007280298.tif 000008
【図７】
2007280298.tif 000009
【図８】
2007280298.tif 000010
【図９】
2007280298.tif 000011
【図１０】
2007280298.tif 000012
【図１１】
2007280298.tif 000013
【図１２】
2007280298.tif 000014
【図１３】
2007280298.tif 000015
【図１４】
2007280298.tif 000016
【図１５】
2007280298.tif 000017
【図１６】
2007280298.tif 000018
【図１７】
2007280298.tif 000019
【図１８】
2007280298.tif 000020
【図１９】
2007280298.tif 000021